(57)【要約】【課題】ガスタービンを可能な限り高速に起動し、かつ、この際に排熱回収ボイラや蒸気タービンにかかる熱的負荷によるトラブルの発生を効率的に抑制することが可能な、コンバインドサイクル発電プラントと、その運転方法、並びに改造方法を提供する。【解決手段】ガスタービンと、ガスタービンで発生した排ガスを熱交換して蒸気を発生させる排熱回収ボイラと、排熱回収ボイラで発生した蒸気で駆動される蒸気タービンと、ガスタービンならびに蒸気タービンで生じた動力を電力に変換する発電機からなるコンバインドサイクル発電プラントであって、ガスタービンから排熱回収ボイラに供給される排ガス中に水を噴霧する水噴霧手段と、ガスタービンの始動から排熱回収ボイラの蒸気発生確立までの期間、排熱回収ボイラに供給される排ガス中に噴霧する水量を制御する水噴霧制御手段を備えることを特徴とするコンバインドサイクル発電プラント。【選択図】図１
2019027399.tif 000002
【特許請求の範囲】
【請求項１】
ガスタービンと、該ガスタービンで発生した排ガスを熱交換して蒸気を発生させる排熱回収ボイラと、該排熱回収ボイラで発生した蒸気で駆動される蒸気タービンと、前記ガスタービンならびに前記蒸気タービンで生じた動力を電力に変換する発電機からなるコンバインドサイクル発電プラントであって、
前記ガスタービンから前記排熱回収ボイラに供給される排ガス中に水を噴霧する水噴霧手段と、前記ガスタービンの始動から前記排熱回収ボイラの蒸気発生確立までの期間、前記排熱回収ボイラに供給される排ガス中に噴霧する水量を制御する水噴霧制御手段を備えることを特徴とするコンバインドサイクル発電プラント。
【請求項２】
請求項１に記載のコンバインドサイクル発電プラントであって、
前記水噴霧制御手段は、前記排熱回収ボイラから前記蒸気タービンに供給される蒸気の温度を計測する手段と、計測された蒸気温度を入力として前記水噴霧手段の操作量を計算する手段と、計算された操作量に基づき前記水噴霧手段の流量を調整する手段を備えることを特徴とするコンバインドサイクル発電プラント。
【請求項３】
請求項１に記載のコンバインドサイクル発電プラントであって、
前記水噴霧制御手段は、前記ガスタービンから前記排熱回収ボイラに供給される排ガスの温度を計測する手段と、計測された排ガスの温度を入力として前記水噴霧手段の操作量を計算する手段と、計算された操作量に基づき前記水噴霧手段の流量を調整する手段を備えたことを特徴とするコンバインドサイクル発電プラント。
【請求項４】
請求項１に記載のコンバインドサイクル発電プラントであって、
前記水噴霧制御手段は、前記排熱回収ボイラから前記蒸気タービンに供給される蒸気の温度を計測する手段と、前記ガスタービンから前記排熱回収ボイラに供給される排ガスの温度を計測する手段と、計測された蒸気温度と排ガスの温度を入力として前記水噴霧手段の操作量を計算する手段と、計算された操作量に基づき前記水噴霧手段の流量を調整する手段を備えたことを特徴とするコンバインドサイクル発電プラント。
【請求項５】
請求項２から請求項４のいずれか１項に記載のコンバインドサイクル発電プラントであって、
前記蒸気タービンに供給される蒸気の流量を調整する手段と、前記排熱回収ボイラから前記蒸気タービンに供給される蒸気の温度、または前記ガスタービンから前記排熱回収ボイラに供給される排ガスの温度のいずれか一方、または双方を用いて、前記蒸気の流量を調整する手段により前記蒸気の流量を制御する蒸気流量制御手段を備えたことを特徴とするコンバインドサイクル発電プラント。
【請求項６】
請求項１から請求項５のいずれか１項に記載のコンバインドサイクル発電プラントであって、
前記水噴霧制御手段は、前記排熱回収ボイラの蒸気発生確立を、前記排熱回収ボイラにおける高圧蒸気または中圧蒸気の発生開始、蒸気タービンあるいはプラント全体の定格負荷到達、該定格負荷到達の時刻後の経過時間のいずれかをもって判断することを特徴とするコンバインドサイクル発電プラント。
【請求項７】
請求項１から請求項６のいずれか１項に記載のコンバインドサイクル発電プラントであって、
前記水噴霧制御手段は、当該コンバインドサイクル発電プラントに備えられた制御システムに事前に設定された値または制御システムに保持されている計測値から取得された、当該コンバインドサイクル発電プラントを起動する時の初期状態に関する情報に基づいて、前記ガスタービンの起動方法と、前記排熱回収ボイラまたは前記蒸気タービンを熱的に保護するための目標条件を決定するとともに、
決定されたガスタービンの起動方法のもとで、前記排熱回収ボイラまたは前記蒸気タービンの熱的保護の目標条件が満たされるような、前記排ガス中に噴霧する水量を定めることを特徴とするコンバインドサイクル発電プラント。
【請求項８】
ガスタービンと、該ガスタービンで発生した排ガスを熱交換して蒸気を発生させる排熱回収ボイラと、該排熱回収ボイラで発生した蒸気で駆動される蒸気タービンと、前記ガスタービンならびに前記蒸気タービンで生じた動力を電力に変換する発電機からなるコンバインドサイクル発電プラントの改造方法であって、
同一駆動軸で接続されていた前記ガスタービンと前記蒸気タービンと発電機を、前記ガスタービンと前記発電機を接続する駆動軸と、前記蒸気タービンの駆動軸に分断し、分離された蒸気タービン側の駆動軸に対して動力を電力に変換する発電機を追設し、前記ガスタービンから前記排熱回収ボイラに供給される排ガス中に水を噴霧する水噴霧手段を設けることを特徴とするコンバインドサイクル発電プラントの改造方法。
【請求項９】
請求項８に記載のコンバインドサイクル発電プラントの改造方法であって、
前記ガスタービンから前記排熱回収ボイラに供給される排ガスの温度または前記排熱回収ボイラから前記蒸気タービンに供給される蒸気の温度の計測値に基づいて、前記水噴霧手段により排ガス中に噴霧する水量を定める制御装置を設けることを特徴とする発電プラントの改造方法。
【請求項１０】
ガスタービンと、該ガスタービンで発生した排ガスを熱交換して蒸気を発生させる排熱回収ボイラと、該排熱回収ボイラで発生した蒸気で駆動される蒸気タービンと、前記ガスタービンならびに前記蒸気タービンで生じた動力を電力に変換する発電機からなるコンバインドサイクル発電プラントの運転方法であって、
前記ガスタービンから前記排熱回収ボイラに供給される排ガス中に水を噴霧する水噴霧手段を備え、前記コンバインドサイクル発電プラントの起動時に前記排熱回収ボイラに供給される排ガス中に水噴霧することを特徴とするコンバインドサイクル発電プラントの運転方法。
【請求項１１】
請求項１０に記載のコンバインドサイクル発電プラントの運転方法であって、
前記コンバインドサイクル発電プラントの起動時に前記排熱回収ボイラに供給される排ガス中に水噴霧する水量を、前記排熱回収ボイラから前記蒸気タービンに供給される蒸気の温度、または前記ガスタービンから前記排熱回収ボイラに供給される排ガスの温度のいずれか一方、または双方に基づいて定めることを特徴とする発電プラントの運転方法。
【請求項１２】
請求項１０または請求項１１に記載のコンバインドサイクル発電プラントの運転方法であって、
前記水噴霧手段からの水噴霧の開始タイミングを前記ガスタービンへの点火後とすることを特徴とするコンバインドサイクル発電プラントの運転方法。
【請求項１３】
請求項１０から請求項１２のいずれか１項に記載のコンバインドサイクル発電プラントの運転方法であって、
前記水噴霧手段からの水噴霧の開始タイミングを、前記排熱回収ボイラにおける高圧蒸気の発生開始、蒸気タービンあるいはプラント全体の定格負荷到達、該定格負荷到達の時刻後の経過時間のいずれかをもって判断することを特徴とするコンバインドサイクル発電プラントの運転方法。
【発明の詳細な説明】
【技術分野】
【０００１】
本発明は、ガスタービンと、ガスタービンの排ガスを熱交換して蒸気を発生させる排熱回収ボイラと、排熱回収ボイラで発生した蒸気によって駆動される蒸気タービンと、ガスタービンおよび蒸気タービンの駆動軸で発生する駆動力を電気に変換する発電機を備えた、コンバインドサイクル発電プラントと、その運転方法、並びに改造方法を対象とする。
【背景技術】
【０００２】
化石燃料の消費量削減と自然エネルギーの有効利用を目的に、太陽光・風力など二酸化炭素を排出しない再生可能エネルギー発電の導入が、近年世界的に推進されているが、たとえば太陽光発電においては、太陽高度の高い日中に比べ、高度の低い早朝や夕刻に発電量が低下するため、このような時間帯の発電量をどのようにして他の発電手段で補うのかが問題となっている。
【０００３】
この時間帯の代替手段として比較的に高速な起動、停止、負荷追従が可能なコンバインドサイクル発電プラントが注目されている。コンバインドサイクル発電プラントは、構成要素の一つであるガスタービンの負荷追従性能が高く、起動においても、ガスタービン単独であれば比較的短時間で実施可能であるが、プラント全体としてはこれに比べて長い起動時間を要するのが通例である。これはガスタービンを単純に急激に起動した場合、下流にある排熱回収ボイラや蒸気タービンに過渡的に過大な熱負荷を生じ、プラントを安全に起動できなくなったり、機器を損傷したりする危険性があり、このような問題を生じないようにこれらの下流側の機器を保護しつつ、ガスタービンを単独で最速に起動する場合よりも緩やかに起動するなどの工夫をしつつプラント全体を起動する必要があるためである。
【０００４】
このような問題に対応するためにこれまでに報告されている特許文献や非特許文献の代表的なものを以下に挙げる。
【０００５】
特許文献１では、コンバインドサイクル発電プラントの始動運転あるいは負荷変動運転時に、危険な運転状態が生じたときに良好な運転ができるようにするために、ガスタービン排ガスの煙道中に水を注入する噴射装置を設けることが提案されている。
【０００６】
特許文献２では、コンバインドサイクル発電プラントの蒸気タービン起動時に、排熱回収ボイラ出口の蒸気温度が蒸気タービン起動時の蒸気条件を満たす蒸気温度になるように減温器を使用して制御することが提案されている。
【０００７】
特許文献３では、ガスタービンの排気温度上昇抑制を第１の目的、また、部分負荷運転または低負荷運転時のガスタービン高温部位の熱損傷のおそれをなくすことを第２の目的として、排熱回収ボイラ内の入口側排気通路に設けられた流入熱量低減装置、該流入熱量低減装置の下流側排気通路に設けられた温度センサ、及び前記温度センサで検出された排気温度の上昇速度が閾値を超えないように前記流入熱量低減装置を作動させるコントローラからなる温度上昇抑制機構と、ガスタービンの排気通路に設けられた排気通路の開度を可変とする開度可変装置を備えた発電プラントが提案されている。そして、前記流入熱量低減装置が前記排熱回収ボイラの入口側排気通路に冷却水を噴射するノズルであり、前記コントローラによって前記温度センサで検出された排気温度の上昇速度に応じて冷却水噴射量が調節されるように構成された例が示されている。
【０００８】
特許文献４では、コンバインドサイクル発電プラントを高速に起動するために、ガスタービンから排熱回収ボイラに送られる排ガスに低温流体を供給する排ガス冷却装置と、蒸気タービンに流入する蒸気の温度を計測する蒸気温度センサと、前記ガスタービンから排熱回収ボイラに送られる排ガスの温度を検出する排ガス温度センサと、前記蒸気温度センサと排ガス温度センサの検出結果にもとづいて前記排ガス冷却装置から供給される低温流体の供給量を制御する低温流体流量制御手段とを備えた例が示されている。
【先行技術文献】
【特許文献】
【０００９】
【特許文献１】特開平６−２２９２０９号公報
【特許文献２】特開２００５−２１４０４７号公報
【特許文献３】特開２０１３−４０５６７号公報
【特許文献４】特開２０１４−２０２１５１号公報
【発明の概要】
【発明が解決しようとする課題】
【００１０】
太陽光発電の代替手段としてコンバインドサイクル発電プラントを採用する場合に、係る運用では、コンバインドサイクル発電プラントを朝と夕方の２回、起動停止を行う事になる。この点に関し、太陽光発電普及以前のコンバインド発電プラントの運用はデイリースタート・ストップ（朝起動、夕方停止）であったことから、朝晩２回の起動停止には今まで以上に高い変化率での起動停止が要求される。
【００１１】
また朝晩２回の起動停止を行うために、今まで以上に高い変化率での起動停止を行う事に関し、ガスタービン単独であれば比較的容易に高速起動停止が実現できるが、ガスタービン排ガスを利用する排ガス利用側機器（排熱回収ボイラ、蒸気タービン）では、ガスタービン排ガス温度が一層高温化し、あるいは温度変化率が大きいことに伴う新たな課題が生じてくる。
【００１２】
例えば、排ガス利用側機器として排熱回収ボイラについてみると、急激に温度上昇するタービン排ガスにより排熱回収ボイラで空焚きが発生し、熱交換器を損傷する可能性もある。特にガスタービン排気で給水を過熱する高圧側の高圧過熱器について、高圧蒸発器での蒸気発生前には高圧過熱器に通気（蒸気の通流）が行われないことによる空焚きが懸念される。
【００１３】
また排ガス利用側機器として蒸気タービンについてみると、負荷追従性を優先した場合、蒸気タービンへの補助蒸気発生を待たずにガスタービンを先行的に急速起動することが発生しうる。このとき、蒸気タービンの回転部（ロータ）や静止部（ケーシング）に十分な蒸気が供給されないまま起動した結果、タービン動翼の熱疲労あるいは熱伸び差による回転部と静止部との接触で本体が損傷する可能性がある。
【００１４】
上記した排ガス利用側機器の熱的課題は、当該コンバインド発電プラントの新規設置時には当然のこととして対応され、問題が生じないように昇速あるいは負荷の変化率を定める等されてきたものであるが、太陽光発電の代替手段としてコンバインドサイクル発電プラントを高速起動することに伴い、新たに浮上してきた解決課題である。
【００１５】
前述の特許文献では、コンバインドサイクル発電プラントの起動方法に関して、コンバインドサイクル発電プラントを起動するために考慮する必要がある上記課題に関する要求事項にどのように対応するか、以下に述べるように、その制御操作の計算方法が十分明示的に述べられていない。
【００１６】
特許文献１では、噴射装置を制御するための操作量の計算方法が具体的には言及されていない。
【００１７】
特許文献２では、蒸気の減温器の制御操作として、蒸気温度が蒸気タービン起動時の蒸気条件（起動時の蒸気温度目標値）になるように減温器を使用して制御することが記されているが、この蒸気タービン起動時の蒸気条件がどのように定められるものかは明らかにされていない。
【００１８】
特許文献４では、排ガス冷却装置の制御操作として、蒸気タービン供給蒸気温度が起動時の蒸気タービンの蒸気温度条件を満足するように制御することと、この蒸気温度条件が蒸気タービン供給蒸気温度の上限値であることが記されているが、この上限値を技術的にどのように定めるかは明らかにされていない。
【００１９】
特許文献３では、排ガス温度を制御するために、温度センサで検出した排ガスの温度変化量（時間変化率）に応じて噴霧量を決める方法が記されている。この方法の目的は、上述したように、ガスタービン排気温度上昇の抑制（第１の目的）と、部分負荷運転または低負荷運転時のガスタービン高温部位の熱損傷のおそれをなくすこと（第２の目的）にあると述べられている。この点で、特許文献３は、本発明と異なり、コンバインドサイクル発電プラントの起動時間の短縮を主たる目的としていない。前述の排ガス温度の時間変化率は、ガスタービンを保護する観点で設けられているが、一方で、ガスタービンよりも下流に位置する排熱回収ボイラや、さらに下流にある蒸気タービンに対する保護の観点での制御方法については明示的に言及されていない。起動時において、排熱回収ボイラや蒸気タービンを保護するために必要な制御は、プラント起動開始時点での排熱回収ボイラや蒸気タービンの構造体内部の暖気の程度や温度分布の大小によって異なるという特性がある。さらに、排熱回収ボイラや蒸気タービンを保護するために、排ガス温度の時間変化率が守るべき上限値は、起動開始後の経過時間に応じて相当程度に変化し、かつ最も上限値が低くなるタイミングは、プラント起動開始時の初期の構造体内部の暖まり具合や温度分布によっても異なる特性がある。コンバインドサイクルプラント全体の高速な起動を高精度に実現するためには、このようなプラントの起動特性を考慮に入れてプラントを起動制御できるような構成と制御方法を具体化することが求められる。
【００２０】
以上のことから本発明は、ガスタービンコンバインドサイクル発電プラントにおいて、ガスタービンを可能な限り高速に起動し、かつ、この際に排熱回収ボイラや蒸気タービンにかかる熱的負荷が急激に上昇することによって生じる、構造体の寿命低減や変形、振動等によるトラブルの発生を効率的に抑制することが可能な、コンバインドサイクル発電プラントと、その運転方法、並びに改造方法を提供することを目的とする。
【課題を解決するための手段】
【００２１】
以上のことから本発明では、以上に述べた課題を解決するために、「ガスタービンと、ガスタービンで発生した排ガスを熱交換して蒸気を発生させる排熱回収ボイラと、排熱回収ボイラで発生した蒸気で駆動される蒸気タービンと、ガスタービンならびに蒸気タービンで生じた動力を電力に変換する発電機からなるコンバインドサイクル発電プラントであって、ガスタービンから排熱回収ボイラに供給される排ガス中に水を噴霧する水噴霧手段と、ガスタービンの始動から排熱回収ボイラの蒸気発生確立までの期間、排熱回収ボイラに供給される排ガス中に噴霧する水量を制御する水噴霧制御手段を備えることを特徴とするコンバインドサイクル発電プラント。」のように構成したものである。
【００２２】
また「ガスタービンと、ガスタービンで発生した排ガスを熱交換して蒸気を発生させる排熱回収ボイラと、排熱回収ボイラで発生した蒸気で駆動される蒸気タービンと、ガスタービンならびに蒸気タービンで生じた動力を電力に変換する発電機からなるコンバインドサイクル発電プラントの改造方法であって、同一駆動軸で接続されていたガスタービンと蒸気タービンと発電機を、ガスタービンと発電機を接続する駆動軸と、蒸気タービンの駆動軸に分断し、分離された蒸気タービン側の駆動軸に対して動力を電力に変換する発電機を追設し、ガスタービンから排熱回収ボイラに供給される排ガス中に水を噴霧する水噴霧手段を設けることを特徴とするコンバインドサイクル発電プラントの改造方法。」のように構成したものである。
【００２３】
また「ガスタービンと、ガスタービンで発生した排ガスを熱交換して蒸気を発生させる排熱回収ボイラと、排熱回収ボイラで発生した蒸気で駆動される蒸気タービンと、ガスタービンならびに蒸気タービンで生じた動力を電力に変換する発電機からなるコンバインドサイクル発電プラントの起動方法であって、ガスタービンから排熱回収ボイラに供給される排ガス中に水を噴霧する水噴霧手段を備え、コンバインドサイクル発電プラントの起動時に排熱回収ボイラに供給される排ガス中に水噴霧することを特徴とするコンバインドサイクル発電プラントの起動方法。」のように構成したものである。
【発明の効果】
【００２４】
本発明によれば、コンバインドサイクル発電プラントのガスタービンをシンプルサイクルプラントと同等に急速に起動でき、かつ、起動時に排熱回収ボイラや蒸気タービンにかかる熱的負荷の上昇レートを従来のコンバインドサイクル発電プラントと同等に抑えることができる。このため、電力系統から求められる、より短時間の電力要求に対して、プラントの安全性と信頼性を損なうことなく、従来のコンバインドサイクル発電プラントよりも迅速に対応できる。
【図面の簡単な説明】
【００２５】
【図１】本発明の実施例１に係るコンバインドサイクル発電プラントの構成例を示す図。
【図２】本発明の実施例２に係るコンバインドサイクル発電プラントの構成例を示す図。
【図３】本発明の実施例３に係るコンバインドサイクル発電プラントの構成例を示す図。
【図４】本発明の実施例４に係るコンバインドサイクル発電プラントの構成例を示す図。
【図５】本発明の実施例５に係るコンバインドサイクル発電プラントの構成例を示す図。
【図６】本発明に係る制御装置の入出力と内部動作の構成例を示す図。
【図７】制御装置８（８１−８５）を計算機で構成する場合の演算装置における情報処理手順例を示す図。
【図８】既設のコンバインドサイクル発電プラントを改造する手順の一例を示す図。
【発明を実施するための形態】
【００２６】
以下、本発明に実施例について、図面を用いて詳細に説明する。
【実施例１】
【００２７】
図１に、本発明の実施例１に係るコンバインドサイクル発電プラントの構成例を示す。実施例１では、コンバインドサイクル発電プラント起動時に、高圧蒸気確立までの間高圧過熱器の上流側に水噴射するものであり、これを蒸気温度計測により制御する。
【００２８】
本発明が適用される典型的なコンバインドサイクル発電プラントは、ガスタービン１、排熱回収ボイラ２、蒸気タービン３を主たる構成要素として構成されている。これら主たる構成要素の内部構成は、種々の変形構成が採用可能あるが、以下に示す本発明に特有の構成を備えるものである。
【００２９】
図１の典型的なコンバインドサイクル発電プラントは、従来と共通の部分と本発明に特有の部分で構成されている。コンバインドサイクル発電プラントの共通部分は、燃料１１と空気１２によって駆動されるガスタービン１と、ガスタービン１から排出される排ガス１３を水２０と熱交換して高圧蒸気２１、中圧蒸気２２、低圧蒸気２３を発生させる排熱回収ボイラ２と、排熱回収ボイラ２で発生した高圧蒸気２１、中圧蒸気２２、低圧蒸気２３で駆動される高圧タービン３１、中圧タービン３２、低圧タービン３３からなる蒸気タービン３と、ガスタービン１ならびに蒸気タービン３で生じた動力を電力に変換する発電機５によって構成されている。
【００３０】
また図１の排熱回収ボイラ２についてさらに詳細構成例を述べると、これはドラム式の高圧系ボイラ２１０、中圧系ボイラ２２０、低圧系ボイラ２３０を構成するものであり、各系とも排ガス上流側から過熱器（高圧過熱器２１４、中圧過熱器２２４、低圧過熱器２３４）、蒸発器（高圧蒸発器２１２、中圧蒸発器２２２、低圧蒸発器２３２）、節炭器（高圧節炭器２１１、中圧節炭器２２１、低圧節炭器２３１）を備えており、かつドラム（高圧ドラム２１３、中圧ドラム２２３、低圧ドラム２３３）を備えている。高圧蒸気２１、中圧蒸気２２、低圧蒸気２３は、各系の過熱器（高圧過熱器２１４、中圧過熱器２２４、低圧過熱器２３４）から得られ、蒸気タービン３の各段（高圧段、中圧段、低圧段）に与えられる。なお、各系のボイラ（高圧系ボイラ２１０、中圧系ボイラ２２０、低圧系ボイラ２３０）の蒸発器（高圧蒸発器２１２、中圧蒸発器２２２、低圧蒸発器２３２）には、給水ポンプから適宜の圧力の給水が送られている。
【００３１】
一方、コンバインドサイクル発電プラントに新たに追加された本発明に特有の部分として、ガスタービン１から排熱回収ボイラ２に供給される排ガス１３に水を噴霧する手段６と、排熱回収ボイラ２から蒸気タービン３に供給される蒸気２１の温度を計測する手段７１と、蒸気温度計測値を入力として水噴霧手段６１の操作量を計算する手段７２（以下、文脈により制御装置とも記す）と、操作量に基づいて水噴霧手段６の流量を調整する手段６１が備えられている。
【００３２】
はじめに、本発明のコンバインドサイクル発電プラントによって高速な起動が可能になる理由とその効果を述べる前に、従来のコンバインドサイクル発電プラントで高速な起動を実現しようとする際に直面する課題を説明する。
【００３３】
従来のコンバインドサイクル発電プラントの構成（上述した共通部分の構成）でプラントを高速に起動しようとする場合、まずガスタービン１の起動を早めることが考えられる。具体的には、ガスタービン１の負荷上昇レートを従来よりも高い値に設定したり、負荷を一定レベルで保持する時間（起動中のガスタービン機器の安全性や信頼性の観点で保護するために設定されることが多い）を短縮したり、といった施策が、程度の問題はあれ、実施可能ではある。
【００３４】
しかし、これらの施策を単に採用するだけでは、ガスタービン１の下流に位置する排熱回収ボイラ２と蒸気タービン３の保護の観点で様々な問題が生じる。これらの問題は、ガスタービン１を急激に起動することにより、排熱回収ボイラ２に供給される排ガス１３の温度上昇レートが大きくなることと、その結果、排熱回収ボイラ２から蒸気タービン３に供給される蒸気温度と蒸気流量の上昇レートが大きくなることにより引き起こされる。
【００３５】
排熱回収ボイラ１で生じる典型的な問題としては、高圧過熱器２１４の寿命の減耗と、高圧ドラム２１３の水位変動の増大が挙げられる。
【００３６】
高圧過熱器２１４は、起動時において、蒸気発生系統の上流側にある高圧蒸発器２１２で蒸気が発生して高圧ドラム２１３を通って供給されるようになって初めて内部の蒸気が流れるようになる。逆に言えば、高圧過熱器２１４は、このように蒸気が発生する前には、配管内部に水や蒸気のような受熱媒体が存在しない状態で、外面が排ガス１３の熱に曝される（空焚きされる）。このような空焚きは、機器構造体が過熱されて熱損傷するリスクが増大するだけでなく、以下のような問題がある。ガスタービン１が上述のように急速に起動されると、排ガス温度の上昇レートが増大するため、排ガス１３からの伝熱による高圧過熱器２１４各部の温度上昇レートが増大し、かつ、高圧過熱器２１４の構造体熱容量に起因して内部の過渡的温度分布が増大することになる。これらの結果、高圧過熱器２１４の内部には不均一な熱膨張が生じ、これに起因する応力が生じるため、構造体寿命が減耗する原因となる。特に高圧過熱器２１４を束ねるヘッダ部分にこのような応力が集中しやすい。
【００３７】
高圧ドラム２１３は、ガスタービン１が上述のように急速に起動されて排ガス１３の温度上昇が急激になると、蒸気発生系統の上流側にある高圧蒸発器２１２で蒸気が発生開始する際に、蒸気の発生量が急激に増大することにより、ドラムの水面高さ（水位）が急上昇するなどして不安定化する。このように高圧ドラム２１３の水位が不安定化すると、液相の水が後流の高圧過熱器２１４に同伴混入されるようになり、高圧過熱器２１４や蒸気供給先の高圧蒸気タービン３１を損傷する原因となる。このため高圧ドラム２１３の水位が不安定化すると、プラントを意図したように高速に起動できなくなる。
【００３８】
蒸気タービン３で生じる典型的な問題としては、上述したように蒸気タービン３（本例では特に高圧タービン３１）に供給される蒸気（本例では特に高圧蒸気２１）の温度と流量の上昇レートが大きくなることにより、蒸気タービン３の構造体内部における過渡的温度分布が増大し、これによって構造体に熱応力や熱伸び差・変形を生じ、機器寿命を減耗したり、静止部と回転部の接触の危険性が増えたりすることが挙げられる。このような熱応力はタービンのロータやケーシングに生じ、これら構造体の寿命を短くする原因となる。また熱伸び差はタービンのケーシングとロータの熱膨張量の過渡的差異によって生じ、タービン軸方向の熱伸び差が過大な場合は回転部と静止部が接触して機器に損傷を与え、タービン径方向の熱伸び差が過大な場合はタービンの軸振動増大やラビングにより運転の安全性と信頼性に支障を生じかつ機器に損傷を与える。従って、熱応力や熱伸び差が増大するようであると、プラントを意図したように高速に起動できなくなる。
【００３９】
本発明では、ガスタービン１を急速に起動しようとする場合に直面するこのような様々な問題を、上述した本発明特有の構成要素（水噴霧手段６、蒸気温度計測手段７１、制御装置８１、噴霧流量調整手段６１）を付加することにより解決する。その原理と効果を以下に説明する。
【００４０】
水噴霧手段６からガスタービン排ガス１３に対して水が噴霧されると、噴霧された水は高温のガスタービン排ガス１３によって加熱され液体から気体に気化する。この際に、排ガス１３からは、水を沸点まで昇温させるための顕熱と、さらに気化させるための蒸発潜熱が奪われる、これにより排ガスの温度は低下する。
【００４１】
従って、例えば、仮にガスタービン１を、あたかも単独機器（シンプルサイクルガスタービン）であるかのように見立て、後流の排熱回収ボイラ２や蒸気タービン３を熱的に保護するための制約（しばしばこの目的で、ガスタービン１の負荷上昇レートが低めに設定されたり、負荷保持時間が長めに設定されたりする）を無視して、ガスタービン自体が許容できる範囲（燃焼の安定性やガスタービン構造体への負荷や熱変形が許容できる範囲）で最速に起動したとしても、発生するガスタービン排ガス１３に対して水噴霧手段６を適切に運用することで、排熱回収ボイラ２に流入する排ガス１３の温度と流量の経時変化、あるいは、排熱回収ボイラ２の高圧蒸発器２１２から高圧ドラム２１３と高圧過熱器２１４を経て蒸気タービン３の高圧タービン３１に供給される高圧蒸気２１の温度と流量の経時変化を、高圧過熱器２１４の寿命減耗や高圧ドラム２１３の過大な水位変動、高圧タービン３１の過大な熱応力や熱伸び差といった問題が生じないような範囲に保つことができれば、従来よりもガスタービン１を急速に先行的に起動することが可能になる。
【００４２】
このような起動を実現するために、本発明では、まず、排熱回収ボイラ２から蒸気タービン３（高圧タービン３１）に供給される高圧蒸気２１の温度を蒸気温度計測手段７１で計測する。
【００４３】
そして、こうして計測された蒸気温度を入力として、制御装置８１において、排ガス１３または蒸気２１の温度の経時変化が上述の諸問題（高圧過熱器２１４の寿命減耗、高圧ドラム２１３の水位変動過大、高圧タービン３１の熱応力過大あるいは熱伸び差過大）を生じさせないようなものになるような、水噴霧手段６の噴霧流量（ないし噴霧流量調整手段６１に対する操作量）を計算する。
【００４４】
また、こうして計算された噴霧流量になるように噴霧流量調整手段６１を操作（ないし前記計算された操作量に基づいて噴霧流量調整手段６１を操作）する。
【００４５】
このような温度計測にもとづく噴霧流量の制御は、単純な方法としては通常のフィードバック制御によって実現可能である。例えば、温度計測手段７１で計測される温度の時系列変化に対して、起動後の時間に応じた目標値をあらかじめ設定しておき、目標値と計測値との偏差に応じて噴霧流量を増減する（計測値が目標値よりも高ければ噴霧流量を増加、低ければ噴霧流量を減少）というフィードバック制御を実行すればよい。この場合、噴霧流量調整手段６１に対する操作量は、例えば次の（１）式により噴霧流量調整手段６１の操作量θを求めることができる。
［数１］
θ＝γ（Ｔｓｍ-Ｔｓｔ）      （１）
（１）式において、記号θは操作量、γはゲイン、Ｔｓは蒸気温度であり、添字ｔは目標値、ｍは計測値を表す。蒸気温度の目標値Ｔｓｔは、ガスタービン１の昇速段階、初負荷段階、負荷上昇段階といったガスタービン排ガス温度の時系列的変動に合わせて、可変の蒸気温度の目標値Ｔｓｔとして設定されている。これに対し計測値Ｔｓｍが、目標値Ｔｓｔを上回る場合に、その温度差に応じて噴霧流量が定められる。このように、蒸気温度の計測値に応じて噴霧流量を適切に調整することができるため、ガスタービン１をシンプルサイクル同等に急速に起動しても、排熱回収ボイラ２と蒸気タービン３の熱的制約に起因する上述の諸問題を起こさないようにプラント全体を起動制御できる。
【００４６】
上記制御によれば、コンバインドサイクル発電プラントの起動が完了するタイミングにおける蒸気温度の目標値Ｔｓｔは、主蒸気温度の例えば６００℃であり、高圧蒸発器２１２で蒸気発生し、高圧過熱器２１４に蒸気が通気される段階になり、計測値Ｔｓｍが６００℃を超えると噴霧流量制御は停止される。上記制御によれば、排熱回収ボイラ２の高圧蒸発器２１２の上流側には、ガスタービン１の起動から高圧蒸気確立までの期間だけ、水噴霧が実施されることになる。
【００４７】
このように、本発明では、ガスタービン１を先行的にシンプルサイクル同等に急速に起動できることにより、電力系統側からの短時間での発電要求に迅速に応えて起動することが可能になる。
【００４８】
具体的な例としては、電力系統内で再生可能エネルギーの割合が増えることによって生じる早朝や夕刻の発電量不足に対して、効果的に電力を供給できるようになる。また、本例は、従来の相対的に起動時間が長いコンバインドサイクル発電プラントに対しても、（蒸気温度計測手段７１は通常どのプラントにも備えられているため）実質的に水噴霧手段６と噴霧流量調整手段６１と制御装置８１（及び必要な配線）を追設するだけで適用可能であり、新たに起動時間の短い最新鋭の発電プラントを建設しなくても、既存設備を有効活用して低コストに高速な起動が実現できる。
【００４９】
本例に特徴的な効果として、蒸気タービン保護の観点で精度の高い起動制御が可能である。これは、水噴霧流量を決めるためのガスタービン下流側の熱負荷の状態を、蒸気タービンに供給される蒸気温度計測で取得しているためである。また、本例は上述したように簡素なフィードバック制御で容易に実現できる利点がある。また、コンバインドサイクル発電プラントを高速に起動するために制約となる様々な条件（例えば上述した、高圧過熱器２１４の寿命減耗、高圧ドラム２１３の過大な水位変動、高圧タービン３１の過大な熱応力や熱伸び差）のうち、蒸気タービン関する要因が律速になることが多いため、本例は実効性が高い。
【００５０】
なお、実施例１において、水噴霧手段６は、排熱回収ボイラ２入口煙道の拡大部に設けられた例を示しているが、この位置に限る必要はなく、ガスタービン１の排気ダクト以降の後流でかつ排熱回収ボイラ２の高圧過熱器２１４よりも上流の位置にあればよい。図１と異なる設置位置の例としては、ガスタービン１の排気口の下流に設けられたサイレンサ（図では省略）、及びその支持構造体のガス流れに沿った下流側に、ガス流れに沿った方向に噴霧口を向けて水噴霧手段６を配置することも可能である。この場合、排熱回収ボイラ２を改造する必要がなく、また、排ガス１３の流れの中に水噴霧手段６を安定して固定するための指示構造物を新たに設ける必要がない（既存のサイレンサを支持構造物として流用できる）ため、低コストかつ短い工期で改造が実施できる利点がある。
【００５１】
また、実施例１では、説明を分かりやすくするために、蒸気タービン３を保護するための条件を高圧タービン３１の保護を対象とした例で説明した。しかし、蒸気タービン３の保護に関しては、中圧タービン３２も同様に重要であり、実際に高圧タービン３１と中圧タービン３２のどちらを優先するかは、プラントの特性や起動方法（例えば、高圧タービンを先行的に起動する高圧起動方式か、中圧タービンを先行的に起動する中圧起動方式か）によっても変わりうる。
【００５２】
このため、本例で保護される蒸気タービン３の内容は、上述した高圧タービン３１にこれに限られるものでなく、中圧タービン３２の保護を対象とする場合についても、蒸気温度計測手段７１が中圧蒸気３２（再熱式蒸気タービンであれば再熱蒸気）の温度を測るものとして、蒸気温度に関する情報を高圧蒸気でなく中圧蒸気に変更すれば、以上の説明と同様に実施可能である。
【００５３】
あるいはさらに、高圧タービン３１と中圧タービン３２の両方を同時に保護するように、高圧蒸気温度計測手段７１ａと中圧蒸気温度計測手段７１ｂの両方を設けて、制御回路８１２においては、計測された高圧蒸気２１の温度に基づき計算される噴霧流量調整手段６１の操作量と、計測された中圧蒸気２２の温度にもつづき計算される噴霧流量調整手段６１の操作量のうち、大きい方の値を噴霧流量調整手段６１に出力すればよい。
【００５４】
このようにすることにより、高圧タービンと中圧タービンの両方をより安全に起動することが可能である。以降に述べる実施例においても、このように、蒸気タービン３のうち高圧タービン３１を保護する場合を例に説明するものの、これに限らず、中圧タービン３１の保護にも適用できることは同様である。
【００５５】
また、実施例１は、ガスタービン１と蒸気タービン３が駆動軸を共有する一軸式コンバインドサイクル発電プラントを例に説明したが、これに限るものでなく、ガスタービン１と蒸気タービンが別の駆動軸を持ち別々に回転可能な多軸式コンバインドサイクル発電プラントであってもよい。これについても、以降の実施例（図５を除く）に共通である。
【実施例２】
【００５６】
図２に、本発明の実施例２に係るコンバインドサイクル発電プラントの構成例を示す。実施例２では、コンバインドサイクル発電プラント起動時に、高圧蒸気確立までの間高圧過熱器の上流側に水噴射するものであり、これを排ガス温度計測により制御する。
【００５７】
実施例２のコンバインドサイクル発電プラントでは、図１における蒸気温度計測手段７１の代わりに、ガスタービン排ガス１３の排気温度計測手段７２が設けられている。
【００５８】
そして、計測された排ガス温度を入力として、制御装置８２において、排ガス１３または蒸気２１の温度の経時変化が上述の諸問題（高圧過熱器２１４の寿命減耗、高圧ドラム２１３の水位変動過大、高圧タービン３１の熱応力過大あるいは熱伸び差過大）を生じさせないようなものになるような、水噴霧手段６の噴霧流量（ないし噴霧流量調整手段６１に対する操作量）を計算する。他の構成要素は図１と同じである。
【００５９】
排気温度計測手段７２の設置位置は、図２で例示したように、水噴霧手段６よりもガス流れの上流側とすることも可能であるが、下流側とすることも可能である。この設置位置により制御方法と特徴が変わる。排気温度計測手段７２が水噴霧手段６よりもガス流れに沿って上流に設置される場合、制御装置８２での計算内容はフィードフォワード制御向けの噴霧水量計算となり、単純な方法としては、熱収支計算により、（２）式を満たす水噴霧流量Ｇｗを求めることができる。
［数２］
Ｇｔ＊ｈｔ＝Ｇｍ＊ｈｍ＋Ｇｗ＊ｈｗ        （２）
（２）式において、記号Ｇは流量、ｈは比エンタルピ、添字ｗは噴霧水を表し、ｔとｍは（１）式と同様である。
【００６０】
排気温度計測手段７２が水噴霧手段６よりもガス流れに沿って下流に設定される場合、制御装置８２での計算内容はフィードバック制御向けの噴霧流量調整手段６１の操作量計算となり、単純な方法としては、（３）式により噴霧流量調整手段６１の操作量θを求めることができる。
［数３］
θ＝γ（Ｔｇｍ-Ｔｇｓ）          （３）
（３）式において、記号Ｔｇは排ガス温度であり、その他の記号と添字の意味は（１）（２）式と同じである。こうして述べたように排ガス温度の計測値に応じて噴霧流量を適切に調整することによっても、前述の図１の例と同様の効果を得ることができる。
【００６１】
実施例２に特徴的な効果として、高圧過熱器２１４保護の観点で精度の高い制御が可能である。これは、水噴霧流量を決めるためのガスタービン下流側の熱負荷の状態を、高圧過熱器２１４に向かって流れる排ガスの温度として取得しているためである。
【００６２】
また、実施例２では制御の応答が早く安定しやすい利点がある。これは、実施例２のように、排ガス温度を計測して排ガスへの噴霧流量を決定する場合、前述の図１のように蒸気温度を計測して排ガスへの噴霧流量を決定する場合に比べて、より直接的な制御操作となるためである。特に、排気温度計測手段７２が水噴霧手段６よりもガス流れに沿って上流に設置される場合は、より応答の早い制御が可能になる。これは前述の（２）式のようにフィードフォワード制御することにより、フィードバック制御のような時間遅れなしに制御が実行されるためである。またこの場合の計算方法も例えば（２）式のように単純であり、制御が簡素で実現しやすいことも利点である。一方で、気温度計測手段７２が水噴霧手段６よりもガス流れに沿って下流に設定される場合であっても、上述したように計算式３で表されるような通常のフィードバック制御により実現が容易である。
【００６３】
さらに、実施例２は、（２）（３）式における目標値の設定が、前述の図１の例に比べて比較的容易という利点がある。これは、ガスタービン排ガス１３の温度の経時変化はガスタービン１の起動方法によって一意に定まり、蒸気２１の温度の経時変化にようにガスタービン１と排熱回収ボイラ２の両方の起動方法に依存するという複雑さがないためである。
【００６４】
なお、実施例２では、排ガス温度計測手段７２が、排熱回収ボイラ２の入口の煙道拡大部に設置された場合を示したが、設置位置はここに限定されるものでなく、ガスタービン１の排気口以降の後流で、かつ、排熱回収ボイラ２の高圧過熱器２１４よりも上流側の位置にあればよい。以降の実施例で排ガス温度計測手段７２が言及される場合についても同様である。
【実施例３】
【００６５】
図３に、本発明の実施例３に係るコンバインドサイクル発電プラントの構成例を示す。実施例３では、コンバインドサイクル発電プラント起動時に、高圧蒸気確立までの間高圧過熱器の上流側に水噴射するものであり、これを蒸気温度計測と排ガス温度計測により制御する。
【００６６】
実施例３は前述の図１と図２を組み合わせたものであり、制御装置８３に入力される温度情報の取得手段として、蒸気２１の温度計測手段と、排ガス１３の温度計算手段の両方を備えている。制御装置８３はこれら両方の温度の情報を用いて、水噴霧手段６の流量調整手段６１に対する操作量を計算する。以下、前述の図１または図２と共通の部分の説明は割愛し、異なる部分のみを説明する。
【００６７】
制御装置８３での操作量の計算方法は、幾つかのものが想定可能である。例えば第１の方法は、蒸気温度計測手段７１で取得された蒸気温度に基づいて図１の制御装置７１と同様の計算方法で算出された必要噴霧流量ないし流量調整手段６１の操作量と、排ガス温度計測手段７２で取得された排ガス温度に基づいて図２の制御装置７２と同様の計算方法で算出された必要噴霧量ないし流量調整手段６１の操作量のうち、大きい方の値を採用する方法が挙げられる。
【００６８】
また、例えば第２の方法は、蒸気温度計測手段７１で取得された蒸気温度に基づいて図１の制御装置７１と同様の計算方法で算出された必要噴霧流量ないし流量調整手段６１の操作量を用いて、流量調整手段６１を操作することを基本としつつ、排ガス温度計測手段７２で取得された排ガス温度についての、時間帯ごとに定められた許容トレンドとの偏差がある基準値を超過した場合、あるいは排ガス温度の上昇速度が初期メタル温度に予め応じて定められた基準値を超過した場合に、これらの基準値との差異（とくに超過度合）に応じて噴霧流量を増加させる方法が挙げられる。
【００６９】
また、例えば第３の方法は、逆に、排ガス温度計測手段７２で取得された排ガス温度に基づいて図２の制御装置７２と同様の計算方法で算出された必要噴霧流量ないし流量調整手段６１の操作量を用いて、流量調整手段６１を操作することを基本としつつ、蒸気温度計測手段７１で取得された蒸気温度についての、時間帯ごとに定められた許容トレンドとの偏差がある基準値を超過した場合、あるいは蒸気温度の上昇速度が初期メタル温度に予め応じて定められた基準値を超過した場合に、これらの基準値との差異（とくに超過度合）に応じて噴霧流量を増加させる方法が挙げられる。
【００７０】
実施例３では、このように高圧蒸気２１の温度と、排ガス１３の温度の両方を監視して制御することにより、蒸気タービン３と排熱回収ボイラ２の両方の保護に必要なプラント制御を効率的に実現できる。
【００７１】
特に、上述の第１の方法では、蒸気と排ガスの両方の観点から必要な噴霧手段の操作量が常時計算されているため、安全で信頼性ある起動制御が可能になる。
【００７２】
第２の方法及び第３の方法では、それぞれ優先される保護対象（第２の方法では蒸気タービン、第３の方法では排熱回収ボイラ）に着目して効率的な制御をしつつ、他方の保護対象についても問題が生じないように制御がなされるため、保護対象に関する優先度の違いが明確なプラント（例えば、排熱回収ボイラと蒸気タービンのうち、一方の設計上の許容限界への余裕が少ない場合や、一方が経年的に老朽化が著しく進んでいる場合、さらに、他方の機器で保守の実施や新設時の高耐久材料の選定により許容限界への余裕が大きい場合）を起動制御するのに好適である。
【実施例４】
【００７３】
図４に、本発明の実施例４に係るコンバインドサイクル発電プラントの構成例を示す。実施例４では、コンバインドサイクル発電プラント起動時に、高圧蒸気確立までの間高圧過熱器の上流側に水噴射するものであり、水噴射量を蒸気温度計測により制御するとともに、主蒸気流量を調整するものである。この実施例４は、実施例１にさらに主蒸気流量制御を追加し、蒸気タービンへの入熱を制限したものである。
【００７４】
実施例４では、前述の図１の実施例１に対して、制御装置８４（図１の場合は制御装置８１）で操作する対象に、蒸気タービン３への高圧蒸気２１の供給量を加減する弁（蒸気流量調整弁）３１１が加わっている。以下、図１との共通部分は割愛し、異なる部分のみ説明する。なお図４では、中圧蒸気２２の供給量を加減する弁（蒸気流量調整弁）３２１、低圧蒸気２３の供給量を加減する弁（蒸気流量調整弁）３３１も図示している。
【００７５】
制御装置８４では、蒸気温度計測手段７１で取得された高圧蒸気２１の温度に基づいて、図１の制御装置８１で説明したのと同様にして、水噴霧手段６の流量調整手段６１に対する操作量を計算するだけでなく、さらに、高圧タービン３１に流入する蒸気３１の流量を調整する。
【００７６】
この調整方法としては、例えば、蒸気３１の温度が許容トレンドを上回りそうな場合、あるいは上回った場合に、流量を下げるように調整する方法がある。この方法の場合、蒸気タービンの熱的保護をより強化できる。
【００７７】
あるいは、別の調整方法として、水噴霧手段６の噴霧流量を前述の図１の例で計算される値よりも少ない値とし、かつ、高圧タービンに持ち込まれる蒸気３１の熱量が図１の例と同等になるように、蒸気流量調整弁３１１の開度を絞るように調整する方法がある。この方法の場合、水噴霧手段の容量を小さくすることができる。
【００７８】
なお、実施例４では温度計測手段７が、蒸気温度計測手段７１である場合を例に説明したが、これに限る必要はなく、排ガス温度計測手段７２であってもよい。その場合の蒸気流量調整弁３１１の操作量の計算方法は、許容トレンドが蒸気２１に関するものでなく排ガス１３に関するものになる点が異なる他は、上に述べた蒸気温度計測手段７１に基づく場合と同様である。
【実施例５】
【００７９】
図５に、本発明の実施例５に係るコンバインドサイクル発電プラントの構成例を示す。実施例１から実施例４では、既設のコンバインドサイクル発電プラントにおいてガスタービンを高速起動するときに排ガス利用側設備の熱的問題を軽減することで対応することを述べてきたが、実施例５では既設のコンバインドサイクル発電プラントにおいてガスタービンと蒸気タービンを連結する駆動軸を切断し、これらを別体とすることでガスタービンの高速化を実現する。その場合に残された排ガス利用側設備の熱的問題を軽減するものである。
【００８０】
図５の実施例５では、既設のコンバインドサイクル発電プラントを改造して本発明を実施する場合の、プラント構成の例であり、前述の図４の構成に加えて、もともとガスタービン１と蒸気タービン３で共有されていた駆動軸４が、ガスタービン側の駆動軸４１と、蒸気タービン側の駆動軸４２に分離されており、かつ、蒸気タービン側の駆動軸４２には新たに、蒸気タービンの動力を電力に変換する発電機５２が設けられている。以下に、図４と共通な部分は割愛し、異なる部分のみ説明する。
【００８１】
ここでいう、駆動軸４が、ガスタービン側の駆動軸４１と蒸気タービン側の駆動軸４２に分離されている状態とは、典型的には、もともとガスタービン１と蒸気タービン３の駆動軸４が一体不可分に構成されている一軸式コンバインドサイクルプラントであったものに対して、この駆動軸４を切断して別々に回転できるように改造した状態を指す。
【００８２】
このため切断位置においては新たに、ガスタービン１側には駆動軸４１を支持するための軸受が、蒸気タービン２側には駆動軸４２を支持するための軸受が設けられている（いずれも図では省略）。あるいは、別のケースとして、ガスタービン側の駆動軸４１と蒸気タービン側の駆動軸４２がクラッチで結合したり切り離したりできる構造のプラントの場合、このクラッチが一貫して離された状態におかれていることを指す。
【００８３】
また、蒸気タービン２の駆動軸４２に設けられた発電機５２は、軸４の切断もしくはクラッチの切り離しによってガスタービン１と別に動力を発生するようになった蒸気タービン２から電力を得るために設けられている。
【００８４】
このように駆動軸を分離するように改造することで、ガスタービン１は蒸気タービン３の回転数を別々に制御できるため、駆動軸が一体になっている場合に比べて、ガスタービン１と蒸気タービン３を別々に制御できる余地が増える。これにより、ガスタービン１では蒸気タービン３の保護に必要な条件に運転方法が制約される度合いが減り、より、シンプルサイクルに近い高速な起動が可能になる。
【００８５】
また、このような駆動軸を分離する改造は、ガスタービン１や蒸気タービン３の内部の動力機関の複雑な構造を改変することなく、そのまま活かし、軸を切断して別々に回転できるようにするだけであるので、比較的短い工期で改造を実施できる。
【００８６】
さらに、プラントの起動を改善するために、新たに起動特性の優良な新規プラントを建設することなく、既設のプラント資産を最大限有効活用できるため、より低コストに実施できる利点がある。
【００８７】
以上で述べたような駆動軸の切断を伴う構成は、本例の図５の他にも、以下のような変形構成例が採用可能である。
変形構成例１：制御装置８５から蒸気流量調整弁３１１への出力回路がない構成。
変形構成例２：蒸気タービン３側への発電機５２の追設がなく、蒸気タービンへの蒸気供給を中止（図５で表すと蒸気流量調整弁３１１、３２１、３３１を閉止）する構成。
【００８８】
上記変形構成例１では、蒸気温度と流量の両方を調整する複雑な制御を行う必要がなく、蒸気タービン３の駆動軸４２がガスタービン１の駆動軸４１から切り離されていることによって生じる蒸気タービン３の起動操作の独立性を活かし、蒸気温度２１の制御のみに集中した簡素な構成で起動制御を実現できる。
【００８９】
上記変形構成例２は、蒸気タービンの運用を廃止する構成である。この場合図５には示していないが、排熱回収ボイラ２で発生した蒸気２１、２２、２３はそれぞれ、当該発電プラントが設置された発電所の内部あるいは近隣の別の設備に供給されるようにバイパス経路が設けられる（あるいは既に設けられている）ものとする。
【００９０】
この場合のメリットとしては、蒸気タービン３を廃止することにより、ガスタービン１は完全に蒸気タービンの保護と無関係に起動できるため、より安全に、かつ、排熱回収ボイラ２の保護だけ考慮してより高速に簡単な制御で急速に起動できるようになる。さらに、蒸気タービン３はガスタービン１に比べて設置スペースがはるかに大きいため、蒸気タービン３が廃止されて撤去されると、プラントの設置面積が大幅に減少し、新たに生じたスペースに、例えば築エネルギー設備（例えば、蓄電池、フライホール、蒸気アキュムレータなど）を設けて、システムの運用の柔軟性を広げたり、蒸気を消費する設備や蒸気を利用して冷熱を発生させる設備を設けて、エネルギー利用効率を向上させたりすることができる。
【００９１】
なお、以上において、実施例５では温度計測手段７が、蒸気温度計測手段７１である場合を例に説明したが、これに限る必要はなく、排ガス温度計測手段７２であってもよい。その場合の蒸気流量調整弁３１１の操作量の計算方法は、許容トレンドが蒸気２１に関するものでなく排ガス１３に関するものになる点が異なる他は、上に述べた蒸気温度計測手段７１に基づく場合と同様である。
【実施例６】
【００９２】
図６に、本発明のコンバインドサイクル発電プラントに含まれる制御装置８（図１の場合は８１、図２の場合は８２、図３の場合は８３、図４の場合は８４、図５の場合は８５に相当するものを総称して８とする）の入出力と内部動作の構成例を示している。
【００９３】
制御装置８は、初期状態取得手段８０１で取得された初期状態情報と、温度計測手段７（前述の蒸気温度計測手段７１又は排ガス温度計測手段７２、あるいはこれらの組み合わせを総称して７とする）で取得された温度情報を入力として受け取り、これらの情報に基づき、制御回路８０２で起動曲線データベース８０３を参照して初期状態に応じたプラントの起動曲線を抽出するとともに、この起動曲線において排熱回収ボイラ２と蒸気タービン３を保護するために必要な水噴霧手段６の噴霧流量調整手段６１の操作量を計算する。以下に詳細を説明する。
【００９４】
初期状態取得手段８０１で取得される初期状態情報とは、典型的には、蒸気タービン３１の構造体のメタル温度（以下、初期メタル温度）、あるいは当該発電プラントが前回停止してからの経過時間（以下、停止後経過時間）である。
【００９５】
これらはプラントの構造体各部が起動を開始する時点でどれだけ暖められているかを表しており、同時にこの程度によって、排熱回収ボイラ２や蒸気タービン３の起動時の熱的保護をどのようになすべきかが規定される性質を持つ。この意味で、初期状態取得手段８０１で取得される初期状態情報は、上述した初期メタル温度と停止後経過時間に限定される必要はなく、排熱回収ボイラ２や蒸気タービン３についての保護が必要な程度を表すものであれば、他の指標でもよい。このようなものとして、例えば、構造体の熱応力や熱変形がクリティカルな位置における温度分布や複数位置間の温度差のような情報がある。
【００９６】
温度計測手段７で取得される温度情報は、前述の蒸気温度計測手段７１または排ガス温度計測手段７２あるいはその両方から、プラント起動過程にわたって取得される蒸気温度または排ガス温度である。ここでの温度情報は、ガスタービン１の下流に位置する排熱回収ボイラ２あるいは蒸気タービン３に対する熱的負荷を表すものであり、この意味において、取得される情報は温度に限定されるものでなく熱量（エンタルピー）であってもよい。
【００９７】
このような方法としては、前記温度計測手段７１あるいは７２で取得される蒸気温度あるいは排ガス温度に加えて、蒸気流量取得手段７０１あるいはガス流量取得手段７０２（図中には示されていないが、それぞれの設置位置は温度計測手段７１及び７２に準じるものとし、あるいは該流量取得手段は直接的な計測手段でなく当該流体の圧力等の計測値にもとづいて計算するものであってもよいものとする）で取得された流量を用いて、前記手段７１または７２で取得された温度に対応する蒸気あるいは排ガスの比エンタルピと前記手段７０１あるいは７０２取得された流量を乗じて得られる蒸気２１あるいは排ガス１３のエンタルピ（熱量）を熱的負荷の指標として用いることが挙げられる。
【００９８】
起動曲線データベース８０３は、当該コンバインドサイクル発電プラントについての前述したプラントの初期状態に応じた起動方法が、初期状態取得手段８０１で取得される情報形態に応じて、取得または計算できるような情報格納検索手段あるいは計算手段である。ここでいう初期状態に応じた起動方法とは典型的には、当該発電プラントを起動するための、ガスタービン１及び、排熱回収ボイラ２、蒸気タービン３の時系列操作手順（起動シーケンス）である。起動シーケンスに含まれる情報としては、起動開始後の時間に応じて定められた、ガスタービン１の昇速レート、負荷上昇レート、負荷保持時間や、燃焼器の操作手順、排熱回収ボイラ２の給水流量や、通気時間（蒸気タービン３への蒸気供給開始時間）、蒸気タービン３の昇速レート、負荷上昇レート、バイパス弁や蒸気加減弁の開度、といった操作端の時系列操作手順を挙げることができる。
【００９９】
また、この起動シーケンスに応じた、ガスタービン排ガス１３や蒸気２１（あるいは必要に応じて２２、２３）の温度のうちの少なくとも一方、あるいはさらにこれら温度に対応する流体（排ガスまたは蒸気）の流量の経時変化についても、ここでは起動曲線の情報に含むものとする。
【０１００】
こうした蒸気温度や排ガス温度の時系列変化の情報は、例えば、排ガス温度の場合、ガスタービン１の負荷に応じた排ガス温度の設計情報（排ガス温度負荷特性）と、ガスタービン負荷の時系列変化（負荷トレンド）の情報に基づいて計算することができる。
【０１０１】
最も単純には、負荷トレンドに対応する排ガス温度を、負荷特性を線形補間することで得ることができ、あるいは、より精度の高い方法として、先程の線形補間の計算値に対して、ガスタービンの負荷変化操作から排熱回収ボイラ２の入口での排ガス温度への応答の遅れの時定数を考慮して、一次遅れ系の計算式で計算することも可能である。
【０１０２】
蒸気温度についても、これと同様に、ガスタービン負荷に応じた蒸気温度（蒸気温度負荷特性）の設計情報とガスタービン負荷トレンドから線形補間によって計算可能であり、より精度の高い方法として、ガスタービンの負荷変化操作から蒸気タービン３１の入口での蒸気温度への応答の遅れの時定数を考慮して、一次遅れ系の計算式で計算することも可能である。
【０１０３】
ガスタービン排ガス１３の流量と蒸気２１（あるいはさらに２２、２３）の流量も同様にして負荷特性の設計情報と、負荷トレンドと、さらに精度を高めるために応答遅れの時定数を用いることで計算可能である。本発明では、以上のようにガスタービン１と排熱回収ボイラ２と蒸気タービン３の起動シーケンス及びこれにともなう排ガス１３や蒸気２１の温度と流量の経時変化のような時系列情報を総称して起動曲線と呼ぶ。
【０１０４】
起動曲線データベース８０３の形態は、上述したように、情報格納検索手段として実現される場合と、計算手段として実現される場合がある。情報格納検索手段の場合は、複数の初期状態に応じたガスタービン起動曲線がデータベースに格納されており、初期状態をキーとする検索によって、初期状態に応じたガスタービンの起動曲線が取得されて返されるような、検索可能なデータベースとして実装される。計算手段の場合は、あらかじめ定められた計算手順によって、初期状態に応じた起動曲線が計算されて返されるような計算回路として実装される。あらかじめ定められた計算手順としては次に述べる２つのような例がある。
【０１０５】
第１の例は、数点の初期メタル温度に応じてプラントの各種起動曲線を予め記憶しておき、実際に起動しようとするときの初期メタル温度における起動曲線を、これらの記憶済みの起動曲線を補間するようにして生成することである。
【０１０６】
ここでいう補間とは、例えば、前述のように予め起動曲線が記憶されている初期メタル温度のうち、実際に起動しようとするときの初期メタル温度に最も近い上側と下側の値における起動曲線を参照し、これら（上側と下側）の初期メタル温度への近さに応じて、これらの起動曲線の負荷上昇レートや負荷保持時間、弁の開閉タイミング（起動開始後のある基準となる時点からの経過時間で表される）のような値を重みづけ平均することにより、起動する際の負荷上昇レートや負荷保持時間の値を決めることである。初期メタル温度によらず一定の値で操作される項目についてはそのまま適用されることは言うまでもない。このような第１の方法は、既存の起動曲線を有効活用して、より安全で信頼性のある起動方法を効率的に生成できる。
【０１０７】
第２の例は、起動曲線を決定づけるパラメータ（以下起動曲線パラメータ）の値を、初期メタル温度に応じて記憶させておき、指定された初期メタル温度に応じて参照される起動パラメータの値に基づき、あらかじめ定められたルールによって起動曲線を生成させることである。
【０１０８】
起動曲線パラメータとは、直前の第１の例で述べた、起動曲線の負荷上昇レートや負荷保持時間、弁の開閉タイミング（起動開始後のある基準となる時点からの経過時間で表される）のような値の他に、機器を操作する順序の違いを表すパラメータをも含むものである。
【０１０９】
操作する順序の違いを表すパラメータの例としては、ガスタービン負荷の上昇と蒸気タービン負荷の上昇タイミングの関係として、先にガスタービン負荷を定格まで上昇させたのちに、蒸気タービン負荷を上昇させてプラント全体を起動させるか、途中までガスタービン負荷上昇を先行させて保持しながら蒸気タービン負荷を一定程度上昇さるような操作を繰り返してプラント全体を起動させるか、初めから最後までガスタービンと蒸気タービンを並列的に負荷上昇させるようにしてプラント全体を起動させるか、といった起動操作順序の方針を番号で表したものがある。
【０１１０】
このような起動操作順序は、初期メタル温度に応じてどの操作順序がよいか異なり、また起動時に機器寿命の減耗を最小限に抑えるか、許容できる範囲内であれば寿命減耗よりも短時間での起動を優先するか、といった目的によって最適な値が異なる。したがって、この第２の方法では、起動時に優先する事柄に応じてより柔軟に最適な起動方法を選択できる長所がある。
【０１１１】
制御回路８０２は、こうして得られた、起動時初期状態に対応する起動曲線に基づいて、排熱回収ボイラ２の保護（高圧過熱器２１４の寿命損傷や、高圧ドラム２１３の水位変動過大を起こさないこと）または蒸気タービン３の保護（ロータやケーシングの熱応力や、熱伸び差が過大にならないこと）に必要な水噴霧手段６の操作量を計算して噴霧流量調整手段６１に対して出力する。
【０１１２】
ここで用いられる起動曲線は、前述した各種起動シーケンスのうち、最も単純には特に、蒸気２１の温度の経時変化の情報、または、排ガス１３の温度あるいはさらに流量の経時変化の情報が用いられる。これらを用いた噴霧流量調整手段６１への出力情報の計算内容は以下のようなものである。
【０１１３】
蒸気２１の温度の経時変化の情報が用いられる場合は、蒸気温度の経時変化が、排熱回収ボイラ２または蒸気タービン３の保護のために必要な、予め定められた基準を満たすように、前述の図１の制御装置８１ないし図４の制御装置８４ないし図５の制御装置８５で述べたようなフィードバック制御の計算がなされる。
【０１１４】
排ガス１３の温度とあるいはさらに流量の経時変化の情報が用いられる場合は、前述の図２の制御装置８２で述べたようなフィードフォワード制御またはフィードバック制御の計算がなされる。蒸気２１と排ガス１３の両方の温度あるいはさらに流量の情報が用いられる場合は、図３の制御装置８３で述べたようなフィードバック制御またはフィードフォワード制御に基づく計算がなされる。
【０１１５】
このような水噴霧手段６の流量調整手段６１に対する操作量の計算では、典型的には前述の図１の制御装置８１、図２の制御装置８２、図３の制御装置８３、図４の制御装置８４、図５の制御装置８５の説明で述べたように、蒸気温度２１あるいは排ガス温度１３の経時変化に対する許容値が必要となる。例えば、排熱回収ボイラ２または蒸気タービン３を保護するために、許容値一杯になるような最も厳しめの、蒸気温度２１あるいは排ガス温度１３の経時変化値（以下許容トレンドと呼ぶ）がこれに相当する。
【０１１６】
このような許容トレンドは、プラントが既設であり、類似設計のプラントの起動実績データがある場合は、初期メタル温度に応じた運転実績データの中で最も許容水準一杯に近いものを予め用意しておくことが可能であり、一方プラントが新設の場合は、プラント起動時のガスタービン１、排熱回収ボイラ２、蒸気タービン３の動的特性を模擬可能な（即ち、操作に対する応答の遅れを考慮した非定常状態が計算可能な）プラントの動特性モデルを構築し、この動特性モデルを用いて起動方法を様々に変更したシミュレーションを実施し、シミュレーション結果群のなかから、初期メタル温度に応じて最も許容水準一杯に近いものを予め選択しておくことにより策定可能である。
【０１１７】
前者（プラントが既設であり、類似プラントの運転実績がある場合）の方法は、過去の実績に基づいているため、安全性と信頼性が高く、既設のプラントであっても、制御の計算を複雑にすることなく容易に効率的に実装できる長所がある。
【０１１８】
後者（プラントが新設である場合）の方法は、プラントの初期メタル温度を細かく変化させた詳細な計算が可能であるため、初期メタル温度に応じた許容トレンドをきめ細かく設定可能であり、より高精度な制御が期待できる。
【実施例７】
【０１１９】
図７に示す実施例７では、制御装置８（８１−８５）を計算機で構成する場合の演算装置における情報処理手順例を示している。
【０１２０】
図７において、最初の処理手順Ｓ８２１では、コンバインドサイクル発電プラントの起動開始が確認される。
【０１２１】
次の処理手順Ｓ８２２では、コンバインドサイクル発電プラントの初期状態の情報が参照され、この値に基づいて処理手順Ｓ８２３でコンバインドサイクル発電プラントの起動曲線が決定される。この処理手順Ｓ８２１から処理手順Ｓ８２２における起動曲線の決定手順の内容は、プラントの初期状態を表す指標に基づいて、起動曲線が選定されるようなものであればよく、典型的には、前述の図６において、初期状態取得手段８０１と起動曲線データベース８０３と制御回路８０２を用いて説明した通りである。
【０１２２】
なお、処理手順Ｓ８２２（初期状態情報の取得または設定）と処理手順Ｓ３２３（起動曲線の選択または設定）は、説明を分かりやすくするために、ここでは処理手順Ｓ８２１の後として示したが、実際には処理手順Ｓ８２１で起動が開始される前に、プラント起動方法を決める段階で実施されてもよい。このようにすると電力系統側から短時間での発電要求があった場合に、プラントをどのように起動可能であるか見積もることが可能となり、プラントの運用性が向上する長所がある。
【０１２３】
処理手順Ｓ８２４では、水噴霧を開始するかどうかの判定がなされる。判定結果がＹＥＳになるまでは噴霧が開始されないようにされる。判定基準としては、例えば、ガスタービン１への点火（燃料供給による燃焼器の着火）が完了したかどうかを用いると好適である。プラントの起動においては、ガスタービン１への点火前にも様々な操作がなされるが、ガスタービン１を急速に起動する際に排ガス１３ひいては高圧蒸気２１の温度の急上昇が問題になるのは、ガスタービンでの燃焼が開始された後であるため、このような判定をすることにより、制御の開始タイミングをより明確化され、例えば、点火前に制御が不用意に発動して、まだ高温になっていない排ガスに水を噴霧して結露を招くような問題を回避できる。
【０１２４】
処理手順Ｓ８２５では、水噴霧を開始後における、水噴霧手段６の流量調整手段６１（図１−図５）に対する操作量が計算される。この操作量の計算内容は、処理手順Ｓ８２３で選定された起動曲線にもとづき、排熱回収ボイラ２または蒸気タービン３を保護するために必要な水噴霧を実現するための流量調整手段６１の操作量を求めるものであればよく、典型的には、前述の図６の制御回路８０２で説明した通りである。
【０１２５】
処理手順Ｓ８２６では、水噴霧を終了するかどうかが判定される。水噴霧が終了と判定されるまでは、処理手順Ｓ６２５での噴霧流量調整手段６１の操作量の計算が、プラントの起動中の時間経過に応じて繰り返される。反対に、水噴霧が終了と判定されれば、続く処理手順Ｓ８２７で起動時の水噴霧とその制御が完了となる。このようにして水噴霧の終了タイミングが判定される。
【０１２６】
このような水噴霧終了の判定基準として、例えば、以下の３つの方法が挙げられる。これらの確認条件は、別の言い方をすると高圧主蒸気の確立が、実質的に、直接的にあるいは間接的に確認できたことである。
【０１２７】
第１の確認条件は、排熱回収ボイラ２における高圧蒸気２１の発生開始で判定することである。排熱回収ボイラ２の高圧過熱器２１４は、前述したように高圧蒸発器２１２で蒸気発生を開始する前は配管内部に水や蒸気という受熱媒体が存在せず高い熱負荷に曝されるが、蒸気発生後は内部を蒸気が通流し排ガス１３からの熱を受けて蒸気２１として過熱器２１４から熱を持ち出すため、このように判定することにより、排熱回収ボイラの過熱器２１４の寿命減耗と急速起動による高圧ドラム２１３の水位変動過大を効果的に抑制できる。
【０１２８】
蒸気の発生開始の判定には、高圧蒸気２１の流量を計測または推定する手段（図では非表示、ここでいう推定とはあらかじめ定められた計算式により蒸気流量以外の計測値を用いて制御盤で計算されるような場合を指す）を用いる方法、あるいは排熱回収ボイラ２への給水流量を監視して蒸発開始により給水流量が増加するタイミングを判定する方法がある。後者の場合、高圧蒸発器２１３で蒸発が開始するまで、高圧系の給水は高圧ドラム２１４と蒸発器２１３の間を循環しているのみで、高圧過熱器２１４側へは流れないため、実質的に給水流量はほとんど増えないが、高圧蒸発器２１３で蒸発が開始されると蒸気が過熱器２１４側に流れるようになるため、給水流量が増加するという特性を利用し、給水流量が増加するタイミングを判定することができる。さらに、蒸発が開始した直後は、高圧蒸発器２１２内での急激な沸騰と気化によって、高圧ドラム２１３内部の水位が変動する（典型的には初めに少し下がり、その後過渡的に上昇してゆく）ため、このようなドラム水位の変動をも加味して判定すると、より高精度な判定と制御が可能になる。
【０１２９】
第２の確認条件は、ガスタービン１または蒸気タービン３、あるいはプラント全体の定格負荷到達で判定することである。このようにすると、蒸気タービン３のロータ熱応力に関わるロータ内部温度分布（これを表す温度差）やラビング振動に関わるケーシングの温度分布（これを表す温度差）のように、ロータとケーシングの熱伸び差よりも応答時間の短い現象について、監視対象となる値（温度差）が過大にならないように効果的に抑制できる。
【０１３０】
第３の確認条件は、蒸気タービン３あるいはプラント全体の定格負荷到達時刻後の経過時間で判定することである。ここでいう経過時間とは、例えば、蒸気タービン３が定格負荷に到達後に、ロータとケーシングの軸方向の熱伸び差がピーク値に到達するのに要する時間を推定したものであると好適である。
【０１３１】
このような時間は、プラントの初期状態によっても異なる。これらの値は、プラントの過去の運転実績や、プラントの起動計画の設計情報、あるいは前述の図６の制御回路８０２で述べたようなプラントの動特性モデルを用いてシミュレーションを実施することで設定ないし取得可能である。このようにすると、蒸気タービンの軸方向熱伸び差のように、操作に対する応答の遅れ（時定数）が比較的長い現象に対して、監視対象となる値が過大にならないように効果的に抑制できる。
【実施例８】
【０１３２】
図８には、実施例８として既設のコンバインドサイクル発電プラントを改造する手順の一例を示している。
【０１３３】
本発明のコンバインドサイクル発電プラントは、新規に製造する場合だけでなく、特に、先に図５を用いて説明したように、既設のコンバインドサイクル発電プラントを改造して構成することも可能である。図８に、既存のコンバインドサイクル発電プラントを、本発明の発電プラントに改造する手順の一例を示す。
【０１３４】
図８の最初の処理手順Ｓ９１では、改造工事の開始を確認する。改造は、２つの流れが並行して実施可能であり、第１の流れでは、処理手順Ｓ９２１から９２３までの軸切断に関わる作業が実施され、第２の流れでは、処理手順Ｓ９３１から９３３までの水噴霧系統の追設に関わる作業が実施される。これらの作業は併行で実施してもよく、どちらかが先に行われてもよい。これらの両方が終わると改造が完了（処理手順Ｓ９４）する。各処理手順Ｓを以下に述べる。
【０１３５】
軸切断側の処理手順Ｓ９２１では、ガスタービン１と蒸気タービン３で共有されている駆動軸４を切断するための準備がなされる。具体的には、駆動軸４を切断するための工具が設置されるとともに、切断を開始してから終了するまで間、駆動軸を支持するための作業用構造体が設置される。
【０１３６】
処理手順Ｓ９２２では、駆動軸４がガスタービン１側の駆動軸４１と蒸気タービン３の側の駆動軸４２に分離される。駆動軸４がもとも分離不可能に一体化されている場合、この分離は機械的な切断によって実施される。切断手段は金属構造体切断手段であればよい。駆動軸４がもとも分離可能なようにクラッチで結合されている場合、この分離は、当該クラッチ部分を恒久的な切り離し（すなわち、クラッチを外すこと）によって実施される。
【０１３７】
処理手順Ｓ９２３では、切断によって生じたガスタービン側の駆動軸４１と蒸気タービン側の駆動軸４２のそれぞれを、切断位置に近い側で支える軸受がそれぞれ設置される（これらの軸受は処理手順Ｓ９２１の段階で設定されていてもよい）とともに、これら２つの軸受上にガスタービン１の駆動軸４１と蒸気タービン３の駆動軸４２が設置される。また、これにあわせて、蒸気タービン３側の駆動軸４２には、該蒸気タービン３の動力を電力に変換する発電機５２が設置される。
【０１３８】
水噴霧系統の追設に関わる処理手順Ｓ９３１では、温度計測手段７（蒸気温度計測手段７１または排ガス温度計測手段７２の少なくとも一方）が設置される。
【０１３９】
処理手順Ｓ９３２では、水噴霧手段６と、噴霧流量調整手段６１と、噴霧する水６０を導くのに必要な配管類が設置される。なお、これら処理手順Ｓ９３１と９３２の順序は逆であっても、同時併行であってもよい。
【０１４０】
処理手順Ｓ９３３では、制御装置７（図１−５の制御装置７１−７５に対応）が設置され、温度計測手段７からの入力信号と、噴霧流量調整手段６１及び図４・図５の場合はさらに蒸気流量調整手段３１１に対する出力信号の配線がそれぞれなされる。
【０１４１】
なお、以上の説明において、処理手順Ｓ９２１から９２３までの軸切断関連作業は、当該コンバインドサイクル発電プラントが、ガスタービン１と蒸気タービン３で回転軸を共有する一軸式の場合になされる作業である。もともとガスタービン１と蒸気タービン３の回転軸が別々になっている場合は、これらの処理手順Ｓは不要である。
【０１４２】
さらに、処理手順Ｓ９３３における発電機の追設は無しとしてもよく、高圧・中圧・低圧の蒸気流量調整手段３１１、３２１、３３１を閉じ、排熱回収ボイラ２で発生した蒸気を蒸気タービン３に供給せず、別の系統に供給してもよい。このようにすると、ガスタービン１と比較して設置スペースの大きい蒸気タービン３を休止して撤去することにより、プラントに有効な空きスペースを設けることができ、新たな別の発電設備や蓄電設備（電池やフライホイール）を設置することも可能となり、システムの運用性を向上できる効果がある。
【０１４３】
以上で説明した改造工事は、既設のガスタービン１や、排熱回収ボイラ２、蒸気タービン３の内部構造に手を加えることなく、実施可能であることから、高度で費用のかかる工事にならず、内部構造を改造するような工事にくらべて、効率的かつ低コストに実施できる。また、新たにプラントを建設することなく、既設のプラントを有効活用して効率的かつ低コストに運用改善することが可能になる。
【符号の説明】
【０１４４】
１：ガスタービン
２：排熱回収ボイラ
３：蒸気タービン
４：回転軸
５：発電機
６：水噴霧手段
１１：燃料
１２：空気
１３：ガスタービン排ガス
２０：給水
２１：高圧蒸気
２２：中圧蒸気
２３：低圧蒸気
２４：排熱回収ボイラ排ガス
３１：高圧タービン
３２：中圧タービン
３３：低圧タービン
４１、４２：回転軸
５１、５２：発電機
６０：水
６１：噴霧流量調整手段
７１：蒸気温度計測手段
７２：排ガス温度計測手段
８１：制御装置
８２：制御装置
８３：制御装置
８４：制御装置
８５：制御装置
２１１：高圧節炭器
２１２：高圧蒸発器
２１３：高圧ドラム
２１４：高圧過熱器
２２１：中圧節炭器
２２２：中圧蒸発器
２２３：中圧ドラム
２２４：中圧過熱器
２３１：低圧節炭器
２３２：低圧蒸発器
２３３：低圧ドラム
２３４：低圧過熱器
３１１：高圧蒸気加減弁
３２１：中圧蒸気加減弁
３３１：低圧蒸気加減弁
８０１：初期状態取得または設定手段
８０２：制御回路
８０３：起動曲線データベース
【図１】
2019027399.tif 000003
【図２】
2019027399.tif 000004
【図３】
2019027399.tif 000005
【図４】
2019027399.tif 000006
【図５】
2019027399.tif 000007
【図６】
2019027399.tif 000008
【図７】
2019027399.tif 000009
【図８】
2019027399.tif 000010